(57)【要約】【課題】予めバリアブルデータを印刷した特定の用紙の特定のページに確実に所定のバリアブルデータを追加印刷することができる印刷システム、処理装置、及び印刷処理プログラムを提供する。【解決手段】処理装置２０は、バリアブル画像データを、白黒バリアブルデータとカラーバリアブルデータとに分け、ジョブを作成し（ステップ１００）、白黒バリアブルデータを第１印刷装置４０に送信（ステップ１０２）し、送信した白黒バリアブルデータに対応する識別情報を受信するとジョブに記録する（ステップ１０６）。更に、第２印刷装置６０から識別子を受信すると受信した識別子に対応するカラーバリアブルデータを第２装置６０に送信（ステップ１１０）する。【選択図】図２
2008204163.tif 000002
【特許請求の範囲】
【請求項１】
第１の印刷装置で印刷される、複数種類の第１の画像データ及び第２の印刷装置で印刷される、複数種類の第２の画像データの少なくとも一方を含むジョブを作成するジョブ作成手段と、
前記第１の画像データを前記第１の印刷装置に送信するとともに、当該送信した第１の画像データに対応する第１の識別情報を前記第１の印刷装置から受信して、前記ジョブに記録し、且つ、第２の識別情報を前記第２の印刷装置から受信した場合、当該受信した第２の識別情報が記録されている前記ジョブに含まれる前記第２の画像データを前記第２の印刷装置に送信する印刷制御処理手段と、
を含む処理装置と、
複数の記録媒体の各々を識別し、第１の識別情報を生成する識別情報生成手段と、
前記処理装置から受信した前記第１の画像データを前記識別情報生成手段により識別した複数の記録媒体の各々に印刷する第１の印刷手段と、
前記第１の印刷手段により前記第１の画像データが印刷された記録媒体の第１の識別情報を前記処理装置に送信する第１の送信手段と、
を含む第１の印刷装置と、
複数の記録媒体の各々から第２の識別情報を読取って前記処理装置に送信する第２の送信手段と、
前記第２の送信手段により送信した第２の識別情報が記録されている前記ジョブに含まれる前記第２の画像データを前記処理装置から受信して、当該第２の識別情報を読取った記録媒体に印刷する第２の印刷手段と、
を含む第２の印刷装置と、
を備えた印刷システム。
【請求項２】
前記識別情報生成手段は、複数の記録媒体の各々に付与されているＩＣタグを読取って第１の識別情報を生成する、請求項１に記載の印刷システム。
【請求項３】
前記識別情報生成手段は、複数の記録媒体の各々に識別子を付与する識別子付与手段を備え、当該付与した識別子に基づいて第１の識別情報を生成する、請求項１に記載の印刷システム。
【請求項４】
前記第２の印刷装置の第２の送信手段は、前記処理装置に送信した第２の識別情報と、前記第２の印刷手段により前記第２の画像データが印刷された記録媒体から更に読取った第２の識別情報と、が一致するか否かを示す信号前記処理装置に送信し、
前記処理装置の前記印刷制御処理手段は、一致しない旨を示す信号を受信した場合は、前記第２の処理装置から受信した第２の識別情報が記録されている前記ジョブに含まれる第１の画像データを第１の印刷装置に印刷させ、且つ、第２の画像データを第２の印刷装置に印刷させるよう制御する、
請求項１乃至請求項３の何れか１項に記載の印刷システム。
【請求項５】
前記処理装置の前記印刷制御手段は、前記第２の印刷装置から受信した第２の識別情報が記録されている前記ジョブに第２の画像データが含まれていない場合は、非印刷指示を第２の印刷装置に送信し、
前記第２の印刷装置は、非印刷指示を受信した場合、前記第２の印刷手段による印刷を行わずに記録媒体を所定の排出部に排出する、
請求項１乃至請求項４の何れか１項に記載の印刷システム。
【請求項６】
前記第１の画像データ及び前記第２の画像データの少なくとも一方が印刷された複数の記録媒体を、第１の識別情報に基づいて、予め定められた順に並び替える並替え装置を備えた、
請求項１乃至請求項５の何れか１項に記載の印刷システム。
【請求項７】
複数の記録媒体の各々を識別し、第１の識別情報を生成する識別情報生成手段と、前記処理装置から受信した前記第１の画像データを前記識別情報生成手段により識別した複数の記録媒体の各々に印刷する第１の印刷手段と、前記第１の印刷手段により前記第１の画像データが印刷された記録媒体の第１の識別情報を前記処理装置に送信する第１の送信手段と、を含む第１の印刷装置で印刷される、複数種類の第１の画像データ及び、複数の記録媒体の各々から第２の識別情報を読取って前記処理装置に送信する第２の送信手段と、前記第２の送信手段により送信した第２の識別情報が記録されている前記ジョブに含まれる前記第２の画像データを前記処理装置から受信して、当該第２の識別情報を読取った記録媒体に印刷する第２の印刷手段と、を含む第２の印刷装置で印刷される、複数種類の第２の画像データの少なくとも一方を含むジョブを作成するジョブ作成手段と、
前記第１の画像データを前記第１の印刷装置に送信するとともに、当該送信した第１の画像データに対応する第１の識別情報を前記第１の印刷装置から受信して、前記ジョブに記録し、且つ、第２の識別情報を前記第２の印刷装置から受信した場合、当該受信した第２の識別情報が記録されている前記ジョブに含まれる前記第２の画像データを前記第２の印刷装置に送信する印刷制御処理手段と、
を含む処理装置。
【請求項８】
複数の記録媒体の各々を識別し、第１の識別情報を生成する識別情報生成手段と、処理装置から受信した第１の画像データを前記識別情報生成手段により識別した複数の記録媒体の各々に印刷する第１の印刷手段と、前記第１の印刷手段により前記第１の画像データが印刷された記録媒体の第１の識別情報を前記処理装置に送信する第１の送信手段と、を含む第１の印刷装置で印刷される、複数種類の第１の画像データ及び、複数の記録媒体の各々から第２の識別情報を読取って前記処理装置に送信する第２の送信手段と、前記第２の送信手段により送信した第２の識別情報が記録されている前記ジョブに含まれる前記第２の画像データを前記処理装置から受信して、当該第２の識別情報を読取った記録媒体に印刷する第２の印刷手段と、を含む第２の印刷装置で印刷される、複数種類の第２の画像データの少なくとも一方を含むジョブを作成するステップと、
前記第１の画像データを前記第１の印刷装置に送信するステップと、
当該送信した第１の画像データに対応する第１の識別情報を前記第１の印刷装置から受信して前記ジョブに記録するステップと、
第２の識別情報を前記第２の印刷装置から受信した場合、当該受信した第２の識別情報が記録されている前記ジョブに含まれる前記第２の画像データを前記第２の印刷装置に送信するステップと、
を有する処理を処理装置のコンピュータで実行させる印刷処理プログラム。
【発明の詳細な説明】
【技術分野】
【０００１】
本発明は、印刷システム、処理装置、及び印刷処理プログラムに関する。
【背景技術】
【０００２】
一般に、記録媒体毎に、画像の一部若しくは全部が可変な画像データ、所謂バリアブルデータを印刷するバリアブル印刷が知られている。このようなバリアブル印刷において、可変データ（バリアブルデータ）が印刷された記録媒体に更に別のバリアブルデータを印刷する場合がある。例えば、最初に、白黒画像のバリアブルデータが印刷された特定の記録媒体の特定のページに、更に、カラー画像のバリアブルデータを追加印刷する場合等である。
【０００３】
特定の記録媒体に特定のデータを印刷する記録装置として、画像データや印刷フォーマットに関する情報等を記憶させた磁気ストライプを記録媒体に予め付与しておき、これを読取って、読取った情報に基づいて記録媒体の印刷を実施する記録装置が知られている（例えば、特許文献１参照）。
【特許文献１】特開２００５−２８００４５号公報
【発明の開示】
【発明が解決しようとする課題】
【０００４】
予めバリアブルデータが印刷された特定の記録媒体の特定のページに更に別のバリアブルデータを追加印刷する場合、印刷装置に記録媒体をセットする方法や、追加印刷の際に生じた重送や紙詰まり等により、特定のページとは異なるページに追加印刷を行ってしまう、という問題がある。
【０００５】
本発明は、予めバリアブルデータを印刷した特定の用紙の特定のページに確実に所定のバリアブルデータを追加印刷することができる印刷システム、処理装置、及び印刷処理プログラムを提供することを目的とする。
【課題を解決するための手段】
【０００６】
上記目的を達成するために、請求項１に記載の印刷システムは、第１の印刷装置で印刷される、複数種類の第１の画像データ及び第２の印刷装置で印刷される、複数種類の第２の画像データの少なくとも一方を含むジョブを作成するジョブ作成手段と、前記第１の画像データを前記第１の印刷装置に送信するとともに、当該送信した第１の画像データに対応する第１の識別情報を前記第１の印刷装置から受信して、前記ジョブに記録し、且つ、第２の識別情報を前記第２の印刷装置から受信した場合、当該受信した第２の識別情報が記録されている前記ジョブに含まれる前記第２の画像データを前記第２の印刷装置に送信する印刷制御処理手段と、を含む処理装置と、複数の記録媒体の各々を識別し、第１の識別情報を生成する識別情報生成手段と、前記処理装置から受信した前記第１の画像データを前記識別情報生成手段により識別した複数の記録媒体の各々に印刷する第１の印刷手段と、前記第１の印刷手段により前記第１の画像データが印刷された記録媒体の第１の識別情報を前記処理装置に送信する第１の送信手段と、を含む第１の印刷装置と、複数の記録媒体の各々から第２の識別情報を読取って前記処理装置に送信する第２の送信手段と、前記第２の送信手段により送信した第２の識別情報が記録されている前記ジョブに含まれる前記第２の画像データを前記処理装置から受信して、当該第２の識別情報を読取った記録媒体に印刷する第２の印刷手段と、を含む第２の印刷装置と、を備える。
【０００７】
請求項２に記載の印刷システムは、請求項１に記載の印刷システムにおいて、前記識別情報生成手段は、複数の記録媒体の各々に付与されているＩＣタグを読取って第１の識別情報を生成するものである。
【０００８】
また、請求項３に記載の印刷システムは、請求項１に記載の印刷システムにおいて、前記識別情報生成手段は、複数の記録媒体の各々に識別子を付与する識別子付与手段を備え、当該付与した識別子に基づいて第１の識別情報を生成するものである。
【０００９】
請求項４に記載の印刷システムは、請求項１乃至請求項３の何れか１項に記載の印刷システムにおいて、前記第２の印刷装置の第２の送信手段は、前記処理装置に送信した第２の識別情報と、前記第２の印刷手段により前記第２の画像データが印刷された記録媒体から更に読取った第２の識別情報と、が一致するか否かを示す信号を前記処理装置に送信し、前記処理装置の前記印刷制御処理手段は、一致しない旨を示す信号を受信した場合は、前記第２の処理装置から受信した第２の識別情報が記録されている前記ジョブに含まれる第１の画像データを第１の印刷装置に印刷させ、且つ、第２の画像データを第２の印刷装置に印刷させるよう制御する、ものである。
【００１０】
請求項５に記載の印刷システムは、請求項１乃至請求項４の何れか１項に記載の印刷システムにおいて、前記処理装置の前記印刷制御手段は、前記第２の印刷装置から受信した第２の識別情報が記録されている前記ジョブに第２の画像データが含まれていない場合は、非印刷指示を第２の印刷装置に送信し、前記第２の印刷装置は、非印刷指示を受信した場合、前記第２の印刷手段による印刷を行わずに記録媒体を所定の排出部に排出する、ものである。
【００１１】
請求項６に記載の印刷システムは、請求項１乃至請求項５の何れか１項に記載の印刷システムにおいて、前記第１の画像データ及び前記第２の画像データの少なくとも一方が印刷された複数の記録媒体を、第１の識別情報に基づいて、予め定められた順に並び替える並替え装置を備えた、ものである。
【００１２】
請求項７に記載の処理装置は、複数の記録媒体の各々を識別し、第１の識別情報を生成する識別情報生成手段と、前記処理装置から受信した前記第１の画像データを前記識別情報生成手段により識別した複数の記録媒体の各々に印刷する第１の印刷手段と、前記第１の印刷手段により前記第１の画像データが印刷された記録媒体の第１の識別情報を前記処理装置に送信する第１の送信手段と、を含む第１の印刷装置で印刷される、複数種類の第１の画像データ及び、複数の記録媒体の各々から第２の識別情報を読取って前記処理装置に送信する第２の送信手段と、前記第２の送信手段により送信した第２の識別情報が記録されている前記ジョブに含まれる前記第２の画像データを前記処理装置から受信して、当該第２の識別情報を読取った記録媒体に印刷する第２の印刷手段と、を含む第２の印刷装置で印刷される、複数種類の第２の画像データの少なくとも一方を含むジョブを作成するジョブ作成手段と、前記第１の画像データを前記第１の印刷装置に送信するとともに、当該送信した第１の画像データに対応する第１の識別情報を前記第１の印刷装置から受信して、前記ジョブに記録し、且つ、第２の識別情報を前記第２の印刷装置から受信した場合、当該受信した第２の識別情報が記録されている前記ジョブに含まれる前記第２の画像データを前記第２の印刷装置に送信する印刷制御処理手段と、を含む。
【００１３】
請求項８に記載の印刷処理プログラムは、  複数の記録媒体の各々を識別し、第１の識別情報を生成する識別情報生成手段と、処理装置から受信した第１の画像データを前記識別情報生成手段により識別した複数の記録媒体の各々に印刷する第１の印刷手段と、前記第１の印刷手段により前記第１の画像データが印刷された記録媒体の第１の識別情報を前記処理装置に送信する第１の送信手段と、を含む第１の印刷装置で印刷される、複数種類の第１の画像データ及び、複数の記録媒体の各々から第２の識別情報を読取って前記処理装置に送信する第２の送信手段と、前記第２の送信手段により送信した第２の識別情報が記録されている前記ジョブに含まれる前記第２の画像データを前記処理装置から受信して、当該第２の識別情報を読取った記録媒体に印刷する第２の印刷手段と、を含む第２の印刷装置で印刷される、複数種類の第２の画像データの少なくとも一方を含むジョブを作成するステップと、前記第１の画像データを前記第１の印刷装置に送信するステップと、当該送信した第１の画像データに対応する第１の識別情報を前記第１の印刷装置から受信して前記ジョブに記録するステップと、第２の識別情報を前記第２の印刷装置から受信した場合、当該受信した第２の識別情報が記録されている前記ジョブに含まれる前記第２の画像データを前記第２の印刷装置に送信するステップと、を有する処理を処理装置のコンピュータで実行させる。
【発明の効果】
【００１４】
以上説明したように、請求項１及び請求項７に記載の本発明によれば、予めバリアブルデータを印刷した特定の用紙の特定のページに確実に所定のバリアブルデータを追加印刷することができる、という効果が得られる。
【００１５】
請求項２に記載の本発明によれば、記録媒体に付与されているＩＣタグを読み取ることができるので、容易に識別情報が生成できる、という効果が得られる。
【００１６】
請求項３に記載の本発明によれば、識別情報を付与することができる、という効果が得られる。
【００１７】
請求項４に記載の本発明によれば、識別情報が一致しない場合は、処理装置が第１の画像データ及び第２の画像データを印刷するよう制御するので、容易に画像データを再印刷することができる、という効果が得られる。
【００１８】
請求項５に記載の本発明によれば、第２の装置に第２の画像データの非印刷を指示することができるので、第２の画像データの印刷が不必要な記録媒体が第２の装置にセットされていても印刷しない、という効果が得られる。
【００１９】
請求項６に記載の本発明によれば、記録媒体を並び替える並替装置を備えるので、所定の順番通りに並んだ記録媒体をユーザに提供することができる、という効果が得られる。
【００２０】
請求項８に記載の本発明によれば、印刷制御処理を処理装置のコンピュータに実行させることができる、という効果が得られる。
【発明を実施するための最良の形態】
【００２１】
［第１の実施の形態］
以下、図面を参照して本発明の実施の形態を詳細に説明する。なお、本実施の形態の印刷システム１０は、第１印刷装置４０が白黒画像のバリアブルデータ（以下、白黒バリアブルデータと言う）を印刷する印刷装置であり、第２印刷装置６０がカラー画像のバリアブルデータ（以下、カラーバリアブルデータと言う）を印刷する印刷装置である場合について説明する。
【００２２】
図１は、本実施の形態に係る印刷システム１０の概略構成を示すブロック図である。本実施の形態の印刷システム１０は、処理装置２０と、第１印刷装置４０と、第２印刷装置６０と、を備える。
【００２３】
処理装置２０は、制御部２２と、受信手段２８と、送信手段３０と、を備えている。制御部２２には、ＩＯＴコントローラ１２が接続されており、ＩＯＴコントローラ１２には、ユーザインターフェイス１４が接続され、ユーザの操作によって、バリアブル印刷に関する指示がなされると共に、バリアブル印刷時の情報をユーザへ報知するようになっている。更に、ＩＯＴコントローラ１２には、図示しない外部ホストコンピュータとのネットワークラインが接続されており、白黒バリアブルデータ及びカラーバリアブルデータを含むバリアブル画像データが入力される。
【００２４】
制御部２２は、ＣＰＵ２４及びメモリ２６を備えており、受信手段２８及び送信手段３０が接続されている。ＣＰＵ２４では、白黒バリアブルデータ及びカラーバリアブルデータの印刷を制御するために、詳細を後述する制御ルーチンが実行される。制御ルーチンのプログラムは記憶媒体としてのＲＯＭ（詳細後述）に記憶されている。
【００２５】
受信手段２８及び送信手段３０は第１印刷装置４０及び第２印刷装置６０とバリアブル画像データ等を送受信するためのものであり、例えば、インターフェイス等である。
【００２６】
第１印刷装置４０は、制御部４２、受信手段４８、送信手段５０、識別子生成手段５２、印刷手段５４、及び識別子読取手段５６を備えている。
【００２７】
制御部４２は、ＣＰＵ４４及びメモリ４６を備えており、処理装置２０と白黒バリアブルデータや識別子等を送受信するための、例えば、インターフェイス等である受信手段４８及び送信手段５０が接続されている。ＣＰＵ４４では、記録媒体に白黒バリアブルデータを印刷するために、詳細を後述する制御ルーチンが実行される。制御ルーチンのプログラムは記憶媒体としてのＲＯＭ（詳細後述）に記憶されている。
【００２８】
また、制御部４２には、記録媒体の各々を識別するための識別情報を生成する識別情報生成手段５２と、記録媒体に白黒バリアブルデータを印刷する印刷手段５４と、白黒バリアブルデータが印刷された記録媒体の識別情報（識別子、詳細後述）を読取る識別子読取手段５６と、が接続されている。
【００２９】
第２印刷装置６０は、制御部６２、受信手段６８、送信手段７０、識別子読取手段７２、印刷手段７４、及び識別子読取手段７６を備えている。
【００３０】
制御部６２は、ＣＰＵ６４及びメモリ６６を備えており、処理装置２０とカラーバリアブルデータや識別子等を送受信するための、例えば、インターフェイス等である受信手段６８及び送信手段７０が接続されている。ＣＰＵ６４では、記録媒体にカラーバリアブルデータを印刷するために、詳細を後述する制御ルーチンが実行される。制御ルーチンのプログラムは記憶媒体としてのＲＯＭ（詳細後述）に記憶されている。
【００３１】
また、制御部６２には、白黒バリアブルデータのみが印刷されている記録媒体の各々から識別子を読取るための識別子読取手段７２と、記録媒体にカラーバリアブルデータを印刷する印刷手段７４と、カラーバリアブルデータが印刷された記録媒体の識別子（識別情報）を読取る、識別子読取手段７６と、が接続されている。
【００３２】
次に、本実施の形態の印刷システム１０において実行される、記録媒体に白黒バリアブルデータとカラーバリアブルデータとを印刷する処理を図２〜図６を参照して説明する。
【００３３】
まず、処理装置２０において実行される白黒バリアブルデータ及びカラーバリアブルデータの印刷制御処理について、図２を参照して説明する。図２は、処理装置２０の制御部２２で実行される印刷制御処理のフローチャートである。図２に示す印刷制御処理は、例えば、ＩＯＴコントローラ１２からバリアブル印刷を実行する指示と共にバリアブル画像データが制御部２２に入力されたときに実行される。
【００３４】
ステップ１００では、入力された印刷指示及びバリアブル画像データに基づいてジョブを作成する。ここでは、制御部２２に入力されたバリアブル画像データのうちの記録媒体１ページ分のバリアブル画像データを、第１印刷装置４０で印刷を実行する白黒バリアブルデータ及び第２印刷装置６０で印刷を実行するカラーバリアブルデータの２つのバリアブル画像データに分け、ジョブを作成する。
【００３５】
次のステップ１０２では、白黒バリアブルデータを第１印刷装置４０に、送信手段３０によって送信するよう指示し、次のステップ１０４では、第１印刷装置４０から、送信した白黒バリアブルデータに対応する識別情報を受信手段２８によって受信する。本実施の形態では、ステップ１０２で送信した白黒バリアブルデータが印刷される記録媒体の識別情報である識別子を受信する。そして、次のステップ１０６では受信した識別情報（識別子）をジョブに記録する。
【００３６】
次のステップ１０８では、第２印刷装置６０から、識別子を受信したか否か判断する。否定されると待機状態になり、識別子を受信すると肯定され、ステップ１１０へ進む。
【００３７】
ステップ１１０では、受信した識別子が記録されているジョブのカラーバリアブルデータを第２印刷装置６０に送信する。本実施の形態では、受信した識別子が記録されているジョブに対応付けられているカラーバリアブルデータを送信手段３０によって、第２印刷装置６０に送信する。
【００３８】
次のステップ１１２では、第２印刷装置６０から、印刷成否結果を受信し、次のステップ１１４では受信した印刷成否結果により、第２印刷装置６０において、印刷が成功したが否か（詳細後述）を判断する。印刷失敗結果を受信した場合、否定されてステップ１０２に戻り、再び、第１印刷装置４０に白黒バリアブルデータを印刷させるための処理及び第２印刷装置６０にカラーバリアブルデータを印刷させるための処理を繰返す。一方、印刷成功結果を受信した場合、肯定されてステップ１１６へ進む。
【００３９】
ステップ１１６では、ジョブの印刷完了を記録する。本実施の形態では、記録媒体１ページ分のバリアブル画像データ（白黒バリアブルデータ及びカラーバリアブルデータ）の印刷が完了したことを記録する。
【００４０】
次のステップ１１８では、印刷を終了するか否かの判断をする。未だ印刷が完了していないバリアブル画像データがある場合、ステップ１００に戻り、ジョブを作成し、第１印刷装置４０に白黒バリアブルデータを印刷させるための処理及び第２印刷装置６０にカラーバリアブルデータを印刷させるための処理を繰返す。一方、全バリアブル画像データを印刷した場合、即ち、全ページ分の印刷を完了した場合は、肯定され本処理を終了する。このようにして、図２に示す処理装置２０における本処理により、識別子が付与された記録媒体上に白黒バリアブルデータ及び所定のカラーバリアブルデータが印刷されるように制御することができる。
【００４１】
なお、カラーバリアブルデータを印刷した後の記録媒体の識別子を第２印刷装置６０から更に、受信するようにして、当該受信した識別子と、第１印刷装置から受信した識別子（図２のステップ１０４で受信した識別情報）と、が一致するか否か判断するようにしてもよい。これにより、識別子が一致しない場合は、白黒バリアブルデータが印刷された記録媒体とカラーバリアブルデータが印刷された記録媒体とが異なるため、同一記録媒体上に印刷されるべき白黒バリアブルデータとカラーバリアブルデータとが異なる記録媒体に印刷された状態なので、印刷を失敗したことがわかる。
【００４２】
次に第１印刷装置４０において実行される白黒バリアブルデータ印刷処理について、図３を参照して説明する。図３は、第１印刷装置４０の制御部４２で実行される白黒バリアブルデータ印刷処理のフローチャートである。図３に示す白黒バリアブルデータ印刷処理は、例えば、受信手段４８から白黒バリアブルデータの印刷を実行する指示や白黒バリアブルデータが制御部４２に入力されたときに実行される。
【００４３】
ステップ２００で処理装置２０から白黒バリアブルデータ（図２のステップ１０２で送信された白黒バリアブルデータ）を受信すると、次のステップ２０２では、第１印刷装置４０にセットされている白黒バリアブルデータを印刷する記録媒体に識別子が予め付与されているか否かを識別情報生成手段５２によって判断する。識別子とは、例えば、ＩＣタグやバーコードやその他所定の番号や記号等であり、複数有る記録媒体の各々を識別するために、記録媒体各々毎に画像が形成されない位置に付与されているものである。予め記録媒体に識別子が付与されている場合、肯定されてステップ２０６へ進み、ステップ２０６では、記録媒体に付与されている識別子を読取り、ステップ２０８へ進む。
【００４４】
一方、ステップ２０２で否定判断された場合、即ち、記録媒体に識別子が予め付与されていない場合は、ステップ２０４へ進み、記録媒体に識別子を書込む。本実施の形態では、識別情報生成手段５２により、例えば、バーコードや、所定の番号や記号等を記録媒体上の、画像が形成されない位置に書込む。
【００４５】
次のステップ２０８では、白黒バリアブルデータの印刷を指示する。これにより、白黒バリアブルデータが印刷手段５４により、記録媒体上に印刷される。そして、次のステップ２１０では、印刷が成功したか否かを判断する。印刷が成功したか否かの判断は、本実施の形態では、印刷手段５４で白黒バリアブルデータが印刷された後の記録媒体から識別子を読取り、ステップ２０４で書込んだ識別子若しくはステップ２０６で読取った識別子と一致するか否かにより判断する。具体的には、例えば、第１印刷装置４０から装置外に記録媒体を排出する部分の近辺に設けられたセンサ等の識別子読取手段５６により、識別子を読取って、判断する。記録媒体の重送や紙詰まりが生じた場合は、識別子が一致しない。そこで、識別子が一致しないと判断した場合は、印刷が不成功（失敗）であるため、否定判断され、ステップ２０２に戻り、再び別の記録媒体に白黒バリアブルデータを再印刷する処理を実行する。
【００４６】
一方、ステップ２１０で肯定判断された場合、即ち、識別子が一致した場合は、印刷が成功したと判断されたため、ステップ２１２へ進み、処理装置２０へステップ２０４で書込んだ識別子若しくはステップ２０６で読取った識別子を白黒バリアブルデータが印刷された記録媒体の識別情報として送信（図２のステップ１０４で受信）する。
【００４７】
次のステップ２１４では、印刷を終了するか否かの判断をする。未だ印刷が完了していないバリアブル画像データがある場合、ステップ２００に戻り、処理装置２０から白黒バリアブルデータを受信して記録媒体に印刷する処理を繰返す。一方、全バリアブル画像データを印刷した場合、即ち、全ページ分の印刷を完了した場合は、肯定され本処理を終了する。このようにして、図３に示す第１印刷装置４０における本処理により、識別子が付与された記録媒体に白黒バリアブルデータを印刷することができる。
【００４８】
さらに、第１印刷装置４０において白黒バリアブルデータが印刷された記録媒体に、カラーバリアブルデータを追加印刷するために、第２印刷装置６０において実行されるカラーバリアブルデータ印刷処理について、図４を参照して説明する。なお、本実施の形態では、第１印刷装置４０において白黒バリアブルデータが印刷された記録媒体は例えば、図示しない搬送装置等により第１印刷装置４０から第２印刷装置６０へ搬送され、第２印刷装置６０にセットされる。
【００４９】
図４は、第２印刷装置６０の制御部６２で実行されるカラーバリアブルデータ印刷処理のフローチャートである。図４に示すカラーバリアブルデータ印刷処理は、例えば、受信手段６８からカラーバリアブルデータの印刷を実行する指示が制御部６２に入力されたときに実行される。
【００５０】
ステップ３００では、第２印刷装置６０にセットされている、既に白黒バリアブルデータが印刷された記録媒体の識別子を識別子読取手段７２によって読取り、次のステップ３０２では、読取った識別子を処理装置２０へ送信手段７０によって送信（図２のステップ１０８で受信）する。
【００５１】
次のステップ３０４では、処理装置２０からカラーバリアブルデータ（図２のステップ１０２で送信されたカラーバリアブルデータ）を受信すると、次のステップ３０６では、カラーバリアブルデータの印刷を指示する。これにより、カラーバリアブルデータが印刷手段７４により、記録媒体上に印刷される。そして、次のステップ３０８では、印刷が成功したか否かの判断をする。印刷が成功したか否かの判断は、本実施の形態では、印刷手段７４でカラーバリアブルデータが印刷された後の記録媒体に付与されている識別子を読取り、ステップ３００で読取った識別子と一致するか否かにより判断する。例えば、第２印刷装置６０から装置外に記録媒体を排出する部分の近辺に設けられたセンサ等の識別子読取手段７６により、識別子を読取って、判断する。記録媒体の重送や紙詰まりが生じた場合、識別子が一致しないので、識別子が一致しないと判断した場合は、印刷が不成功（失敗）であるため、否定判断され、ステップ３１０へ進む。ステップ３１０では、失敗結果を処理装置２０へ送信した後、ステップ３１４へ進む。なお、ステップ３１０の処理により、処理装置２０が失敗結果を受信（図２のステップ１１２）すると、別の記録媒体に、印刷を失敗したカラーバリアブルデータに対応付けられている白黒バリアブルデータ及び当該カラーバリアブルデータの再印刷が実行される。
【００５２】
一方、ステップ３０８で肯定判断された場合、即ち、識別子が一致した場合は、印刷が成功したと判断されたため、ステップ３１２へ進み、成功結果を処理装置２０へ送信（図２のステップ１１２で受信）する。
【００５３】
次のステップ３１４では、印刷を終了するか否かの判断をする。未だ印刷が完了していないバリアブル画像データがある場合、ステップ３００に戻り、記録媒体から識別子を読取り、処理装置２０からカラーバリアブルデータを受信し、白黒バリアブルデータが既に印刷された記録媒体に印刷する処理を繰返す。一方、全バリアブル画像データを印刷した場合、即ち、全ページ分の印刷を完了した場合は、肯定され本処理を終了する。このようにして、図４に示す第２印刷装置６０における本処理により、白黒バリアブルデータが印刷された記録媒体上に所定のカラーバリアブルデータを印刷することができる。
【００５４】
なお、第１印刷装置４０で白黒バリアブルデータが印刷された複数の記録媒体のうちの特定のページにのみ第２印刷装置６０で更にカラーバリアブルデータを印刷する場合では、第２印刷装置には、カラーバリアブルデータを印刷する記録媒体と印刷しない記録媒体とが混在してセットされた状態になる。このような場合は、処理装置２０では、図２に示す印刷制御処理のステップ１１０で受信した識別子に対応するカラーバリアブルデータが存在しないため、カラーバリアブルデータの非印刷指示を送信するようにし、第２印刷装置６０では、当該非印刷指示を図４のステップ３０４で受信し、次のステップ３０６ではカラーバリアブルデータを非印刷、即ち印刷しないで第２印刷装置６０の外部、若しくは、第２印刷装置６０の所定内の排出トレイ等、所定の排出部へ排出するようにすればよい。
【００５５】
なお、第１印刷装置４０における印刷成功の判断結果（図３のステップ２１０）及び第２印刷装置６０における印刷成功の判断結果（図４のステップ３０８）を図示しない表示装置等により、ユーザに報知するようにしても良い。
【００５６】
また、本実施の形態の印刷システム１０は、図５に示すように、白黒バリアブルデータ及びカラーバリアブルデータが印刷された記録媒体を並び替える並替装置８０を備えるように構成することができる。本実施の形態の並替装置８０は、受信手段８８、制御部８２、及び並替手段９０を備えており、制御部８２はＣＰＵ８４及びメモリ８６を備える。受信手段８８で処理装置２０から識別子に基づいて予め定められた順番（並替規則）を受信すると、制御部８２は当該並替規則により記録媒体を並び替えるように、並替手段９０に指示する。これにより、例えば、印刷失敗時の再印刷の実施等により予め定められた順番と異なる順番で複数の記録媒体が排出された場合でも、予め定められた順番通りに並び替えてユーザに提供することができる。なお、並替装置８０の具体的な一例としては、ソーターが挙げられる。
【００５７】
なお、本実施の形態では、第１印刷装置４０を白黒バリアブルデータを印刷する印刷装置、第２印刷装置６０をカラーバリアブルデータを印刷する印刷装置としているが、第１印刷装置４０をカラーバリアブルデータを印刷する印刷装置、第２印刷装置６０を白黒バリアブルデータを印刷する印刷装置としてもよい。また、両印刷装置ともにカラーバリアブルデータを印刷する印刷装置、若しくは、白黒バリアブルデータを印刷する印刷装置としてもよい。さらに、バリアブルデータを印刷する印刷装置を第１印刷装置４０及び第２印刷装置６０以外に、更に備えるようにしてもよい。
【００５８】
なお、処理装置２０の制御部２２、第１印刷装置４０の制御部４２、及び第２印刷装置６０の制御部６２のより具体的な構成を図６のブロック図に示す。制御部２２は、ＣＰＵ２４と、ＲＯＭ３７、ＨＤＤ３８、及びＲＡＭ３９を含むメモリ２６とにより構成し、本実施の形態の印刷制御処理プログラム９４（図２）を記憶媒体としてのＲＯＭ３７に予め記憶した構成とすることができる。この場合、ＣＰＵ２４により印刷制御処理プログラム９４がＲＯＭ３７から読込まれて実行されるが、ＣＤ−ＲＯＭ（図示せず）や、ＤＶＤ−ＲＯＭ（図示せず）等の記録媒体に記録しておきＨＤＤ３８等にインストールすることにより本処理を実施するようにしても良い。なお、この場合は、ＣＰＵ２４により、印刷制御処理プログラム９４’がＨＤＤ３８から読込まれて実行される。
【００５９】
同様に、制御部４２は、ＣＰＵ４４と、ＲＯＭ５７、ＨＤＤ５８、及びＲＡＭ５９を含むメモリ４６とにより構成し、本実施の形態の白黒バリアブルデータ印刷処理プログラム９６（図３）を記憶媒体としてのＲＯＭ５７に予め記憶した構成とすることができる。この場合、ＣＰＵ４４により白黒バリアブルデータ印刷処理プログラム９６がＲＯＭ５７から読込まれて実行されるが、ＣＤ−ＲＯＭ（図示せず）や、ＤＶＤ−ＲＯＭ（図示せず）等の記録媒体に記録しておきＨＤＤ５８等にインストールすることにより本処理を実施するようにしても良い。なお、この場合は、ＣＰＵ４４により、白黒バリアブルデータ印刷処理プログラム９６’がＨＤＤ５８から読込まれて実行される。また、制御部６２は、ＣＰＵ６４と、ＲＯＭ７７、ＨＤＤ７８、及びＲＡＭ７９を含むメモリ６６とにより構成し、本実施の形態のカラーバリアブルデータ印刷処理プログラム９８（図４）を記憶媒体としてのＲＯＭ７７に予め記憶した構成とすることができる。この場合、ＣＰＵ６４によりカラーバリアブルデータ印刷処理プログラム９８がＲＯＭ７７から読込まれて実行されるが、ＣＤ−ＲＯＭ（図示せず）や、ＤＶＤ−ＲＯＭ（図示せず）等の記録媒体に記録しておきＨＤＤ７８等にインストールすることにより本処理を実施するようにしても良い。なお、この場合は、ＣＰＵ６４により、カラーバリアブルデータ印刷処理プログラム９８’がＨＤＤ７８から読込まれて実行される。
【００６０】
以上説明したように、本実施の形態では、処理装置２０が、バリアブル画像データから白黒バリアブルデータ及びカラーバリアブルデータを含むジョブを作成し、記録媒体に付与された識別子をジョブに記録し、第２印刷装置６０で読取った白黒バリアブルデータが印刷されている記録媒体の識別子が記録されているジョブに含まれるカラーバリアブルデータを印刷するように第２印刷装置６０に指示するので、白黒バリアブルデータと所定のカラーバリアブルデータとを同一記録媒体上に印刷することができ、バリアブル画像データの印刷を正確にすることができる。従って、予めバリアブルデータを印刷した特定の用紙の特定のページに確実に所定のバリアブルデータを追加印刷することができる。
【００６１】
また、予めバリアブルデータを印刷した特定の用紙の特定のページに確実に所定のバリアブルデータを追加印刷することができるため、異なるバリアブルデータを追加印刷してしまうことによって生じる、記録媒体等の損失を防止することができる。さらに、異なるバリアブルデータを印刷してしまった場合、例えば、個人宛のダイレクトメールに他の個人に関するバリアブルデータを印刷してしまった場合に生じる個人情報の漏洩等を防止することができる。
【図面の簡単な説明】
【００６２】
【図１】本発明の実施の形態に係る印刷システムの概略構成を示すブロック図である。
【図２】本発明の実施の形態に係る処理装置の制御部で実行される印刷制御処理のフローチャートである。
【図３】本発明の実施の形態に係る第１印刷装置の制御部で実行される白黒バリアブルデータ印刷処理のフローチャートである。
【図４】本発明の実施の形態に係る第２印刷装置の制御部で実行されるカラーバリアブルデータ印刷処理のフローチャートである。
【図５】本発明の実施の形態に係る印刷システムにおいて、並替装置を備えた場合の概略構成を示すブロック図である。
【図６】本発明の実施の形態に係る制御部の具体的構成を示すブロック図である。
【符号の説明】
【００６３】
１０  印刷システム
２０  処理装置
２２、４２、６２  制御部
２８、４８、６８  受信手段
３０、５０、７０  送信手段
４０  第１の印刷装置
５２  識別情報生成手段
５４、７４  印刷手段
５６、７６  識別子読取手段
６０  第２の印刷装置
７２  識別子読取手段
８０  並替装置
９４、９４’、９６、９６’、９８、９８’  プログラム
【図１】
2008204163.tif 000003
【図２】
2008204163.tif 000004
【図３】
2008204163.tif 000005
【図４】
2008204163.tif 000006
【図５】
2008204163.tif 000007
【図６】
2008204163.tif 000008